(57)【要約】【課題】アプリケーションの起動による電力不足を抑制できる情報処理装置、情報処理方法、及び、プログラムを提供する。【解決手段】情報処理装置は、電子機器に交換可能に設置される操作部を制御する情報処理装置であって、アプリケーションによって消費される電力量を示す消費電力量を記憶する記憶部と、前記アプリケーションの起動時に前記操作部に供給可能な電力量を示す供給電力量を取得する取得部と、前記供給電力量と前記消費電力量との比較に基づいて、前記アプリケーションの起動を制御する起動制御部と、を備える。【選択図】図３
2019155827.tif 000002
【特許請求の範囲】
【請求項１】
電子機器に交換可能に設置される操作部を制御する情報処理装置であって、
アプリケーションによって消費される電力量を示す消費電力量を記憶する記憶部と、
前記アプリケーションの起動時に前記操作部に供給可能な電力量を示す供給電力量を取得する取得部と、
前記供給電力量と前記消費電力量との比較に基づいて、前記アプリケーションの起動を制御する起動制御部と、
を備える情報処理装置。
【請求項２】
前記起動制御部は、前記供給電力量が前記消費電力量より大きい場合、前記アプリケーションを起動する
請求項１に記載の情報処理装置。
【請求項３】
前記起動制御部は、前記供給電力量が前記消費電力量より小さい場合、前記電子機器に搭載された前記操作部以外の装置の取り外しを指示する
請求項１または２に記載の情報処理装置。
【請求項４】
電子機器に交換可能に設置される操作部を制御する情報処理装置で実行される情報処理方法であって、
アプリケーションによって消費される電力量を示す消費電力量、及び、前記アプリケーションの起動時に前記操作部に供給可能な電力量を示す供給電力量を取得し、
前記供給電力量と前記消費電力量との比較に基づいて、前記アプリケーションの起動を制御する情報処理方法。
【請求項５】
電子機器に交換可能に設置される操作部を制御するコンピュータに、
アプリケーションによって消費される電力量を示す消費電力量、及び、前記アプリケーションの起動時に前記操作部に供給可能な電力量を示す供給電力量を取得する取得機能と、
前記供給電力量と前記消費電力量との比較に基づいて、前記アプリケーションの起動を制御する起動制御機能とを実現させるプログラム。
【発明の詳細な説明】
【技術分野】
【０００１】
本発明は、情報処理装置、情報処理方法、及び、プログラムに関する。
【背景技術】
【０００２】
スキャナ及びプリンタ等の複数の機能を有するＭＦＰ（Multi-Function  Peripheral）を含む画像形成装置等の電子機器が知られている。このような電子機器は、ユーザインターフェースとして機能する操作部、及び、操作部を制御する情報処理装置を備える。情報処理装置には、スマートフォン及びタブレットの携帯端末用のＡｎｄｒｏｉｄ（登録商標）等のＯＳ（Operating  System）、及び、当該ＯＳに対応したソリューション用等のアプリケーションが、インストールされている。
【０００３】
このような操作部は、ＯＳなどのソフトウェアのバージョンアップ、大画面のディスプレイへの変更、及び、高速なＣＰＵ（Central  Processing  Unit）への変更などユーザの利便性を向上させるために交換可能に電子機器に設置されている。
【発明の概要】
【発明が解決しようとする課題】
【０００４】
しかしながら、交換された新しい操作部の消費電力量は増加するので、電子機器は、新しい操作部のアプリケーションの起動によって電力不足となる場合がある。
【０００５】
本発明は、上記に鑑みてなされたものであって、アプリケーションの起動による電力不足を抑制できる情報処理装置、情報処理方法、及び、プログラムを提供することを目的とする。
【課題を解決するための手段】
【０００６】
上述した課題を解決し、目的を達成するために、本発明は、電子機器に交換可能に設置される操作部を制御する情報処理装置であって、アプリケーションによって消費される電力量を示す消費電力量を記憶する記憶部と、前記アプリケーションの起動時に前記操作部に供給可能な電力量を示す供給電力量を取得する取得部と、前記供給電力量と前記消費電力量との比較に基づいて、前記アプリケーションの起動を制御する起動制御部と、を備える情報処理装置である。
【発明の効果】
【０００７】
本発明によれば、供給電力量と消費電力量とを比較することによって、新たなアプリケーションの起動による電力不足を抑制することができる。
【図面の簡単な説明】
【０００８】
【図１】図１は、実施形態の画像形成装置の全体構成を示すブロック図である。
【図２】図２は、実施形態に係る画像形成装置の操作部のハードウェア構成を模式的に示すブロック図である。
【図３】図３は、画像形成装置の操作部の機能を説明する機能ブロック図である。
【図４】図４は、消費電力量テーブルの一例を示すテーブルである。
【図５】図５は、処理部が実行する第１実施形態の起動制御処理のフローチャートである。
【図６】図６は、処理部が実行する第２実施形態の起動制御処理のフローチャートである。
【発明を実施するための形態】
【０００９】
以下の例示的な実施形態等の同様の構成要素には共通の符号を付与して、重複する説明を適宜省略する。
【００１０】
＜第１実施形態＞
図１は、実施形態の画像形成装置１０の全体構成を示すブロック図である。画像形成装置１０は、電子機器の一例であって、例えば、スキャナ、コピー、ファクシミリ及びプリンタ等の複数の機能を有するＭＦＰであってよい。図１に示すように、画像形成装置１０は、電源１２と、コントローラ１４と、操作部１６と、スキャナ部１８と、プロッタ部２０とを備える。
【００１１】
電源１２は、例えば商用電源と接続され、商用電源から供給された電力を画像形成装置１０へ供給する。電源１２は、コンバータ２２と、電力検知部２４と、電源制御部２６とを有する。
【００１２】
コンバータ２２は、商用電源から供給された交流の電力を直流の電力に変換して、または、直流の電力の電圧を変換して、コントローラ１４、操作部１６、スキャナ部１８及びプロッタ部２０へ供給する。
【００１３】
電力検知部２４は、コンバータ２２が出力した電力量を検知する。電力検知部２４は、検知した電力量を電源制御部２６へ出力する。
【００１４】
電源制御部２６は、電力検知部２４が検知した電力量に基づいて、コンバータ２２が供給する電力を制御する。電源制御部２６は、電源１２が供給可能な電力量（以下、供給電力量）を操作部１６の要求に応じて出力する。電源制御部２６は、例えば、コントローラ１４と接続されたコントローラ＿ＩＦ２６ａを含むＳｏＣ（System  On  a  Chip）であってよい。
【００１５】
コントローラ１４は、画像形成装置１０の制御全般を司る。コントローラ１４は、第１制御部３０と、第２制御部３２と、ＲＡＭ（Random  Access  Memory）３４と、ＲＯＭ（Read  Only  Memory）３６とを有する。
【００１６】
第１制御部３０は、第２制御部３２からの指示等に基づいて、スキャナ部１８等から取得した画像データに圧縮伸長、回転及び編集等の画像処理を実行する。第１制御部３０は、複数のインターフェースを含み、画像処理用のハードウェア要素を有する画像処理用途向けのＡＳＩＣ（Application  Specific  Integrated  Circuit）であってよい。第１制御部３０は、第２制御部３２、ＲＡＭ３４、及び、ＲＯＭ３６をそれぞれ接続するブリッジの役割を有する。複数のインターフェースは、ＰＳＵ＿ＩＦ３０ａ、スキャナ＿ＩＦ３０ｂ、プロッタ＿ＩＦ３０ｃ、Ｎｅｔｗｏｒｋ＿ＩＦ３０ｄ、ＣＰＵ＿ＩＦ３０ｅ、ＲＡＭ＿ＩＦ３０ｆ、ＲＯＭ＿ＩＦ３０ｇ、及び、操作部＿ＩＦ３０ｈを含む。ＰＳＵ＿ＩＦ３０ａは、電源１２の電源制御部２６のコントローラ＿ＩＦ２６ａと接続されている。スキャナ＿ＩＦ３０ｂは、スキャナ部１８と接続されている。プロッタ＿ＩＦ３０ｃは、プロッタ部２０と接続されている。Ｎｅｔｗｏｒｋ＿ＩＦ３０ｄは、ＬＡＮ（Local  Area  Network）等のネットワーク９０と接続されている。ＣＰＵ＿ＩＦ３０ｅは、第２制御部３２と接続されている。ＲＡＭ＿ＩＦ３０ｆは、ＲＡＭ３４と接続されている。ＲＯＭ＿ＩＦ３０ｇは、ＲＯＭ３６と接続されている。操作部＿ＩＦ３０ｈは、操作部１６と接続されている。
【００１７】
第２制御部３２は、ＣＰＵ（Central  Processing  Unit）等のハードウェアプロセッサを含み、ＲＯＭ３６に記憶された画像処理用のプログラム等をＲＡＭ３４に展開して画像形成装置１０全体の処理を実行する。第２制御部３２は、例えば、第１制御部３０のＣＰＵ＿ＩＦ３０ｅと接続されたＡＳＩＣ＿ＩＦ３２ａを含むＳｏＣであってよい。
【００１８】
操作部１６は、ユーザの操作を受け付けて、操作の内容をコントローラ１４に出力する。操作部１６は、新しい操作部１６と交換可能に画像形成装置１０に設置されている。操作部１６は、表示部４０と、入力部４２と、操作制御部４４とを有する。
【００１９】
表示部４０は、液晶ディスプレイ（ＬＣＤ：Liquid  Crystal  Display）等の画像を表示可能な表示装置である。表示部４０は、操作制御部４４から取得した画像データ等に基づいて、画像を表示する。
【００２０】
入力部４２は、物理的なキースイッチを有する。入力部４２は、表示部４０の表面に設けられたタッチパネル等を有してもよい。入力部４２は、ユーザによって操作されると、操作の内容を示す操作情報を操作制御部４４へ出力する。
【００２１】
操作制御部４４は、例えば、操作部１６を制御するコンピュータであって、情報処理装置の一例である。操作制御部４４は、表示部４０に表示させる画像の画像データを生成して、表示部４０へ出力する。操作制御部４４は、入力部４２を介してユーザからアプリケーションの起動指示等の操作情報を取得して、当該操作情報をコントローラ１４の第１制御部３０へ出力する。アプリケーションは、スキャナ部１８及びプロッタ部２０にコピーを実行させるコピーアプリケーション、及び、スキャナ部１８にスキャンを実行するスキャナアプリケーション等を含む。例えば、操作制御部４４は、操作情報としてアプリケーションの起動要求を取得すると、対応するアプリケーションの起動を制御する。操作制御部４４は、複数のインターフェースを含むＳｏＣであってよい。複数のインターフェースは、ＬＣＤ＿ＩＦ４４ａと、ＳＷ＿ＩＦ４４ｂと、コントローラ＿ＩＦ４４ｃとを含む。ＬＣＤ＿ＩＦ４４ａは、表示部４０と接続されている。ＳＷ＿ＩＦ４４ｂは、入力部４２と接続されている。コントローラ＿ＩＦ４４ｃは、操作部＿ＩＦ３０ｈを介して、コントローラ１４の第１制御部３０と接続されている。
【００２２】
スキャナ部１８は、第１制御部３０からスキャン指示等を取得すると、印刷物等をスキャンして生成した画像データを第１制御部３０へ出力する。スキャナ部１８は、ＣＣＤ（Charge-Coupled  Device）等を有する。スキャナ部１８は、第１制御部３０と情報を送受信可能に接続されている。
【００２３】
プロッタ部２０は、第１制御部３０から画像データを取得すると、インクジェット方式及び電子写真方式等の印刷方式によって、白黒またはカラーの画像を用紙等の被印刷物等に形成して印刷する。プロッタ部２０は、例えば、白黒プロッタ、１ドラムカラープロッタ、及び、４ドラムカラープロッタのいずれかであってよい。
【００２４】
図２は、実施形態に係る操作部１６の操作制御部４４のハードウェア構成を模式的に示すブロック図である。図２に示すように、操作制御部４４は、ＣＰＵ５０と、ＲＡＭ５２と、ＲＯＭ５４と、不揮発性メモリ５６と、ＬＣＤ＿ＩＦ４４ａと、ＳＷ＿ＩＦ４４ｂと、コントローラ＿ＩＦ４４ｃと、バス５８とを備えるコンピュータである。ＣＰＵ５０、ＲＡＭ５２、ＲＯＭ５４、不揮発性メモリ５６、ＬＣＤ＿ＩＦ４４ａ、ＳＷ＿ＩＦ４４ｂ及びコントローラ＿ＩＦ４４ｃは、バス５８を介して、接続されている。
【００２５】
ＣＰＵ５０は、中央演算処理装置と呼ばれ、ハードウェアプロセッサである。ＣＰＵ５０は、操作部１６の制御全般を司る。ＣＰＵ５０は、ＲＯＭ５４に記憶されたアプリケーションの起動処理用のプログラム等をＲＡＭ５２に展開して操作部１６に必要な種々の処理を実行する。ＲＡＭ５２は、情報の高速な読み書きが可能な揮発性の記憶媒体であり、ＣＰＵ５０が情報を処理する際の作業領域として用いられる。ＲＯＭ５４は、読み出し専用の不揮発性記憶媒体であり、ファームウェア等のプログラムを格納する。不揮発性メモリ５６は、ＨＤＤ（Hard  Disk  Drive）等の情報の読み書きが可能な不揮発性の記憶媒体であり、ＯＳ（Operating  System）、各種の制御プログラム、及び、アプリケーション等を格納する。
【００２６】
図３は、画像形成装置１０の操作部１６の機能を説明する機能ブロック図である。図３に示すように、画像形成装置１０の操作部１６は、処理部６０と、記憶部６２とを有する。
【００２７】
処理部６０は、ＣＰＵ５０の機能として実現される。処理部６０は、取得機能の一例である取得部６４と、起動制御機能の一例である起動制御部６６とを有する。取得部６４及び起動制御部６６は、処理部６０が記憶部６２の起動制御プログラム６８を読み込むことによって、実現される機能であってよい。取得部６４及び起動制御部６６の一部または全部は、回路等のハードウェアによって実現されてもよい。
【００２８】
取得部６４は、入力部４２からユーザによるアプリケーションの起動要求を取得する。取得部６４は、起動要求を取得すると、当該アプリケーションによって消費される電力量（以下、消費電力量）を記憶部６２の消費電力量テーブル７０から取得するとともに、供給電力量を電源１２の電源制御部２６から取得する。供給電力量は、アプリケーションの起動時に電源１２が操作部１６に供給可能な電力量であって、電源１２が供給可能な最大電力量から電力検知部２４が検知している供給中の電力量を引いた値である。換言すれば、供給電力量は、電源１２が現在供給可能な電力量の余力である。取得部６４は、起動要求されたアプリケーションの識別情報及び起動要求、アプリケーションの消費電力量、及び、供給電力量を起動制御部６６へ出力する。
【００２９】
起動制御部６６は、操作部１６を含む画像形成装置１０の起動及び各アプリケーションを起動させる。例えば、起動制御部６６は、画像形成装置１０を最小電力モードで起動させる。起動制御部６６は、最小電力モードにおいて、ＣＰＵ５０及び第２制御部３２のＣＰＵの動作コア数を最小にし、無線通信機能をオフにし、拡張ＵＳＢポートをオフにし、及び、ＲＡＭ３４、５２の容量を最小にしてよい。
【００３０】
起動制御部６６は、アプリケーションの起動要求を取得部６４から取得すると、供給電力量と消費電力量との比較に基づいて、起動要求のあったアプリケーションの起動を制御する。例えば、起動制御部６６は、供給電力量が消費電力量よりも大きい場合、起動要求のあったアプリケーションを起動させる。一方、起動制御部６６は、供給電力量が消費電力量よりも小さい場合、起動要求のあったアプリケーションを起動させることなく、電力不足である旨を表示部４０に画像等によって出力させる。尚、起動制御部６６は、供給電力量が消費電力量と同じ場合、アプリケーションを起動させてもよく、起動させなくてもよい。
【００３１】
記憶部６２は、ＲＡＭ５２、ＲＯＭ５４及び不揮発性メモリ５６の機能として実現される。記憶部６２は、ネットワーク９０と接続された外部の記憶装置の機能として実現されてもよい。記憶部６２は、処理部６０が実行するプログラム及びプログラムの実行に必要な情報を記憶する。記憶部６２は、例えば、処理部６０が実行する起動制御プログラム６８、及び、起動制御プログラム６８の実行に必要な消費電力量テーブル７０を記憶する。
【００３２】
実施形態の操作部１６が実行する起動制御プログラム６８は、上述した各部（取得部６４及び起動制御部６６）を含むモジュール構成となっている。実際のハードウェアとしてはＣＰＵ５０がＲＯＭ５４または不揮発性メモリ５６から起動制御プログラム６８を読み出して実行することにより、上記各部がＲＡＭ５２等の主記憶装置上にロードされる。これにより、取得部６４及び起動制御部６６が主記憶装置上に生成されて、これらの機能がコンピュータに実現されるようになっている。
【００３３】
例えば、本実施形態の操作部１６で実行される起動制御プログラム６８は、ＲＯＭ５４または不揮発性メモリ５６に予め組み込まれて提供される。実施形態の操作部１６で実行される起動制御プログラム６８は、インストール可能な形式又は実行可能な形式のファイルでＣＤ−ＲＯＭ、フレキシブルディスク（FD）、ＣＤ−Ｒ、ＤＶＤ（Digital  Versatile  Disk）等のコンピュータで読み取り可能な記録媒体に記録して提供するように構成してもよい。
【００３４】
さらに、本実施形態の操作部１６で実行される起動制御プログラム６８を、インターネット等のネットワーク９０に接続されたコンピュータ上に格納し、ネットワーク９０経由でダウンロードさせることにより提供するように構成しても良い。また、実施形態の操作部１６で実行される起動制御プログラム６８をインターネット等のネットワーク９０経由で提供または配布するように構成しても良い。
【００３５】
図４は、消費電力量テーブル７０の一例を示すテーブルである。図４に示すように、消費電力量テーブル７０は、各アプリケーションと、当該アプリケーションの起動による消費電力量とを関連付けている。消費電力量は、起動するアプリケーションに起因する、ＳｏＣで動作するコア数、内部ＧＰＵ（Graphics  Processing  Unit）の使用の有無、メモリへのアクセス頻度、内臓の無線ＬＡＮ（Local  Area  Network）モジュール、及び、外部機器として接続されるＵＳＢ（Universal  Serial  Bus）デバイスの使用の有無等によって消費される電力量の合計であってよい。例えば、消費電力量テーブル７０は、コピーアプリケーションを起動させた場合、１．５Ｗの消費電力量があることを示す。従って、取得部６４は、入力部４２を介してユーザがアプリケーションの起動を指示すると、アプリケーションの識別情報に基づいて当該アプリケーションによる消費電力量を消費電力量テーブル７０から取得する。
【００３６】
図５は、処理部６０が実行する第１実施形態の起動制御処理のフローチャートである。処理部６０は、起動制御プログラム６８を読み込むことによって、起動制御処理を実行する。起動制御処理は、情報処理方法の一例である。
【００３７】
図５に示すように、第１実施形態の起動制御処理において、起動制御部６６は、最小電力モードで操作部１６を起動させる（Ｓ１０２）。取得部６４は、ユーザによるアプリケーションの起動要求を取得したか否かを判定する（Ｓ１０４）。ユーザが入力部４２によってアプリケーションの起動要求を入力していない場合、取得部６４はアプリケーションの起動要求を取得していないと判定して（Ｓ１０４：Ｎｏ）、待機状態となる。ユーザが入力部４２によってアプリケーションの起動要求を入力すると、取得部６４はアプリケーションの起動要求を取得したと判定して（Ｓ１０４：Ｙｅｓ）、記憶部６２に格納された消費電力量テーブル７０を参照して、起動要求されたアプリケーションの消費電力量を取得して起動制御部６６へ出力する（Ｓ１０６）。
【００３８】
取得部６４は、第１制御部３０を介して電源１２の電源制御部２６から供給電力量を取得して起動制御部６６へ出力する（Ｓ１０８）。例えば、電源制御部２６は、電源１２が供給可能な最大電力量から電力検知部２４が検知している供給中の電力量を引いた値を供給電力量として、取得部６４へ出力してよい。
【００３９】
起動制御部６６は、供給電力量と消費電力量とを比較して、供給電力量がアプリケーションによる消費電力量より大きいか否かを判定する（Ｓ１１０）。起動制御部６６は、供給電力量が消費電力量より大きいと判定すると（Ｓ１１０：Ｙｅｓ）、ユーザが起動要求したアプリケーションを起動させる（Ｓ１１２）。起動制御部６６は、供給電力量が消費電力量より小さいと判定すると（Ｓ１１０：Ｎｏ）、電力不足のためユーザが起動要求したアプリケーションが起動不可である旨を表示部４０に表示させる（Ｓ１１４）。この後、処理部６０はステップＳ１０４以降を繰り返す。
【００４０】
上述したように、操作制御部４４は、アプリケーションの起動要求を取得すると、供給電力量と当該アプリケーションの消費電力量との比較により、アプリケーションの起動を制御している。これにより、操作制御部４４は、アプリケーションの起動による電力不足を抑制することができ、操作部１６を交換して最新のアプリケーションによるユーザインターフェース及びセキュリティ等を電力不足になることなく実現できる。また、画像形成装置１０は、操作部１６の交換を見越した電源１２の余剰能力を抑えることができるので、電源１２の部品コストを低減できる。
【００４１】
具体的には、操作制御部４４は、供給電力量が当該アプリケーションの消費電力量より大きい場合、要求指示のあったアプリケーションを起動させるので、アプリケーションの起動による電力不足を抑制することができる。特に、操作制御部４４は、操作部１６が交換された場合、新たなアプリケーションの消費電力量が増加しても、電力不足を抑制することができる。
【００４２】
＜第２実施形態＞
次に、供給電力量が当該アプリケーションの消費電力量より大きい場合の処理が異なる第２実施形態について説明する。
【００４３】
第２実施形態の起動制御部６６は、供給電力量が当該アプリケーションの消費電力量より小さい場合、画像形成装置１０にオプションとして搭載されている操作部１６以外の装置の取り外しを指示する。他の装置は、例えば、ユーザの認証装置、ＦＡＸ用の装置、及び、印刷済みの複数の用紙を綴じるフィニッシャー等である。例えば、起動制御部６６は、起動要求がされたアプリケーションと関係のない装置の取り外しを表示部４０に表示させてよい。起動制御部６６は、取り外しを指示した装置が取り外されたら起動要求のあったアプリケーションを起動させる。
【００４４】
図６は、処理部６０が実行する第２実施形態の起動制御処理のフローチャートである。上述の第１実施形態と同様のステップについては同じステップ番号を付与して説明を簡略化する。
【００４５】
図６に示すように、第２実施形態の起動制御処理では、処理部６０がステップＳ１０２からステップＳ１０８までを実行する。
【００４６】
起動制御部６６は、電源１２の供給電力量がアプリケーションの消費電力量よりも大きいか否かを判定する（Ｓ１１０）。起動制御部６６は、供給電力量が消費電力量よりも大きいと判定すると（Ｓ１１０：Ｙｅｓ）、起動要求のあったアプリケーションを起動する（Ｓ１１２）。
【００４７】
起動制御部６６は、供給電力量が消費電力量よりも小さいと判定すると（Ｓ１１０：Ｎｏ）、画像形成装置１０に搭載されている他の装置の取り外しを画像等によって指示する（Ｓ２２０）。起動制御部６６は、他の装置が取り外されたか否かを判定する（Ｓ２２２）。起動制御部６６は、他の装置が取り外されるまで（Ｓ２２２：Ｎｏ）、待機状態となる。起動制御部６６は、他の装置が取り外されたと判定すると（Ｓ２２２：Ｙｅｓ）、要求指示のあったアプリケーションを起動させる（Ｓ１１２）。この後、ステップＳ１０４以降を繰り返す。
【００４８】
上述したように、第２実施形態の操作制御部４４は、電源１２の供給電力量が要求指示のあったアプリケーションの消費電力量より小さい場合、操作部１６以外の他の装置の取り外しを指示し、他の装置が取り外されるとアプリケーションを起動させている。これにより、操作制御部４４は、電力不足になることを抑制しつつ、要求指示のあったアプリケーションを起動させることができる。
【００４９】
上述した各実施形態の構成の機能、接続関係、個数、配置等は、発明の範囲及び発明の範囲と均等の範囲内で適宜変更、削除等してよい。各実施形態を適宜組み合わせてもよい。各実施形態の各ステップの順序を適宜変更してよい。
【００５０】
なお、上記実施形態では、本発明の画像形成装置１０を、コピー機能、プリンタ機能、スキャナ機能およびファクシミリ機能のうち少なくとも２つの機能を有する複合機に適用した例を挙げて説明したが、コピー機、プリンタ、スキャナ装置、ファクシミリ装置等の画像形成装置であればいずれにも適用することができる。
【００５１】
上述の実施形態では、操作制御部４４が、起動制御処理を実行する処理部６０を備えた例を挙げて説明したが、起動制御処理を実行する処理部６０はコントローラ１４に設けられていてもよい。
【符号の説明】
【００５２】
１０：画像形成装置
１２：電源
１４：コントローラ
１６：操作部
４４：操作制御部
６４：取得部
６６：起動制御部
６８：起動制御プログラム
７０：消費電力量テーブル
【先行技術文献】
【特許文献】
【００５３】
【特許文献１】特開２０１７−２１２８５７号公報
【特許文献２】特開２０１０−０６８３４２号公報
【図１】
2019155827.tif 000003
【図２】
2019155827.tif 000004
【図３】
2019155827.tif 000005
【図４】
2019155827.tif 000006
【図５】
2019155827.tif 000007
【図６】
2019155827.tif 000008